(57)【要約】【課題】スタンバイ状態において、電力消費を低減しつつ、制御装置と画像表示装置との通信を維持することが可能な画像表示装置の制御方法、画像表示システム及び画像表示装置を提供する。【解決手段】コンピューター１とプロジェクター２との間で、有線通信又は無線通信による接続を確立した後に、コンピューター１からプロジェクターに通信部設定コマンドを送信し、プロジェクター２が通信部設定コマンドを受信した場合に、有線通信及び無線通信のいずれによってコンピューター１と通信しているのかを判別し、有線通信によって通信していると判別した場合には、プロジェクター２が、スタンバイ状態において有線通信のみが有効な第１の動作状態となるように通信部設定情報を更新し、無線通信によって通信していると判別した場合には、プロジェクター２が、スタンバイ状態において無線通信のみが有効な第２の動作状態となるように通信部設定情報を更新する。【選択図】図２
2019117265.tif 000002
【特許請求の範囲】
【請求項１】
画像表示装置の制御方法であって、
前記画像表示装置を制御する制御装置と前記画像表示装置との間で、第１の通信方式又は第２の通信方式による接続を確立し、
前記接続が確立した後に、前記制御装置から前記画像表示装置に所定のコマンドを送信し、
前記画像表示装置が、前記所定のコマンドを受信した場合に、前記第１の通信方式及び前記第２の通信方式のいずれの通信方式によって前記制御装置と通信しているのかを判別し、
前記第１の通信方式によって前記制御装置と通信していると判別した場合には、前記画像表示装置が、スタンバイ状態において、前記第１の通信方式による通信が可能で、前記第２の通信方式による通信ができない第１の動作状態となるように設定情報を更新し、
前記第２の通信方式によって前記制御装置と通信していると判別した場合には、前記画像表示装置が、前記スタンバイ状態において、前記第２の通信方式による通信が可能で、前記第１の通信方式による通信ができない第２の動作状態となるように前記設定情報を更新することを特徴とする画像表示装置の制御方法。
【請求項２】
請求項１に記載の画像表示装置の制御方法であって、
前記制御装置は、前記画像表示装置との接続が確立した場合に前記所定のコマンドを送信することを特徴とする画像表示装置の制御方法。
【請求項３】
請求項１又は２に記載の画像表示装置の制御方法であって、
前記制御装置は、前記画像表示装置の設定値を初期化する指示を行う場合に前記所定のコマンドを送信することを特徴とする画像表示装置の制御方法。
【請求項４】
請求項１〜３のいずれか一項に記載の画像表示装置の制御方法であって、
前記制御装置は、前記画像表示装置を前記スタンバイ状態に移行させる指示を行う場合に前記所定のコマンドを送信することを特徴とする画像表示装置の制御方法。
【請求項５】
請求項１〜４のいずれか一項に記載の画像表示装置の制御方法であって、
前記画像表示装置には、前記第１の通信方式で通信する場合に用いられる第１のＩＰアドレスと、前記第２の通信方式で通信する場合に用いられる第２のＩＰアドレスとが設定されており、
前記画像表示装置は、前記制御装置が前記所定のコマンドの送信先として指定したＩＰアドレスを取得し、取得した前記ＩＰアドレスを、前記第１のＩＰアドレス及び前記第２のＩＰアドレスと比較して前記通信方式を判別することを特徴とする画像表示装置の制御方法。
【請求項６】
請求項１〜４のいずれか一項に記載の画像表示装置の制御方法であって、
前記画像表示装置には、前記第１の通信方式で通信する場合に用いられる第１のＩＰアドレスと、前記第２の通信方式で通信する場合に用いられる第２のＩＰアドレスとが設定されており、
前記画像表示装置は、前記制御装置のＩＰアドレスを取得し、取得した前記ＩＰアドレスのサブネットを、前記第１のＩＰアドレス及び前記第２のＩＰアドレスのサブネットと比較して前記通信方式を判別することを特徴とする画像表示装置の制御方法。
【請求項７】
請求項１〜６のいずれか一項に記載の画像表示装置の制御方法であって、
前記第１の通信方式は、有線で通信を行う通信方式であり、前記第２の通信方式は、無線で通信を行う通信方式であることを特徴とする画像表示装置の制御方法。
【請求項８】
請求項１〜６のいずれか一項に記載の画像表示装置の制御方法であって、
前記第１の通信方式及び前記第２の通信方式は、無線で通信を行う通信方式であることを特徴とする画像表示装置の制御方法。
【請求項９】
画像を表示する画像表示装置と、前記画像表示装置を制御する制御装置とを備えた画像表示システムであって、
前記制御装置は、
前記画像表示装置との間で、第１の通信方式又は第２の通信方式による接続を確立し、前記接続が確立した後に、前記画像表示装置に所定のコマンドを送信する第１の通信部を備え、
前記画像表示装置は、
前記第１の通信方式及び前記第２の通信方式によって前記制御装置と通信を行うことが可能な第２の通信部と、
前記第２の通信部が前記制御装置から前記所定のコマンドを受信した場合に、前記第１の通信方式及び前記第２の通信方式のいずれの通信方式によって前記制御装置と通信しているのかを判別する判別部と、
前記判別部の判別結果に基づいて、スタンバイ状態における前記第２の通信部の動作状態を設定するための設定情報を更新する制御部と、を備え、
前記制御部は、
前記第１の通信方式によって前記制御装置と通信していると前記判別部が判別した場合には、前記第２の通信部が、前記スタンバイ状態において、前記第１の通信方式による通信が可能で、前記第２の通信方式による通信ができない第１の動作状態となるように前記設定情報を更新し、
前記第２の通信方式によって前記制御装置と通信していると前記判別部が判別した場合には、前記第２の通信部が、前記スタンバイ状態において、前記第２の通信方式による通信が可能で、前記第１の通信方式による通信ができない第２の動作状態となるように前記設定情報を更新することを特徴とする画像表示システム。
【請求項１０】
画像を表示する画像表示装置であって、
第１の通信方式及び第２の通信方式によって外部の制御装置と通信を行うことが可能な通信部と、
前記通信部が前記制御装置から所定のコマンドを受信した場合に、前記第１の通信方式及び前記第２の通信方式のいずれの通信方式によって前記制御装置と通信しているのかを判別する判別部と、
前記判別部の判別結果に基づいて、スタンバイ状態における前記通信部の動作状態を設定するための設定情報を更新する制御部と、を備え、
前記制御部は、
前記第１の通信方式によって前記制御装置と通信していると前記判別部が判別した場合には、前記通信部が、前記スタンバイ状態において、前記第１の通信方式による通信が可能で、前記第２の通信方式による通信ができない第１の動作状態となるように前記設定情報を更新し、
前記第２の通信方式によって前記制御装置と通信していると前記判別部が判別した場合には、前記通信部が、前記スタンバイ状態において、前記第２の通信方式による通信が可能で、前記第１の通信方式による通信ができない第２の動作状態となるように前記設定情報を更新することを特徴とする画像表示装置。
【発明の詳細な説明】
【技術分野】
【０００１】
本発明は、画像表示装置の制御方法、画像表示システム及び画像表示装置に関する。
【背景技術】
【０００２】
有線通信及び無線通信により外部装置との通信が可能な画像表示装置が知られている（例えば、特許文献１参照）。特許文献１に記載の画像表示装置（プロジェクタ装置）は、電力消費を低減すべきスタンバイ状態においても外部装置との通信ができるように、スタンバイ状態において通信機能を有効にすることが可能であるとともに、ユーザーの設定により、有線通信と無線通信のうち、一方の通信方式のみを有効にしたり、双方とも有効にしたりすることが可能になっている。ここで、スタンバイ状態における電力消費を低減したい場合には、いずれか一方の通信方式のみを有効にする設定がなされる。
【先行技術文献】
【特許文献】
【０００３】
【特許文献１】特開２０１３−１６４８３３号公報
【発明の概要】
【発明が解決しようとする課題】
【０００４】
しかしながら、いずれか一方の通信方式のみを有効にして、他方の通信方式を無効にする設定をしてしまうと、外部装置と画像表示装置との通信が、無効に設定された通信方式によってなされていた場合には、スタンバイ状態において外部装置と画像表示装置との間で通信ができなくなってしまうという問題を有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像表示装置の制御方法は、前記画像表示装置を制御する制御装置と前記画像表示装置との間で、第１の通信方式又は第２の通信方式による接続を確立し、前記接続が確立した後に、前記制御装置から前記画像表示装置に所定のコマンドを送信し、前記画像表示装置が、前記所定のコマンドを受信した場合に、前記第１の通信方式及び前記第２の通信方式のいずれの通信方式によって前記制御装置と通信しているのかを判別し、前記第１の通信方式によって前記制御装置と通信していると判別した場合には、前記画像表示装置が、スタンバイ状態において、前記第１の通信方式による通信が可能で、前記第２の通信方式による通信ができない第１の動作状態となるように設定情報を更新し、前記第２の通信方式によって前記制御装置と通信していると判別した場合には、前記画像表示装置が、前記スタンバイ状態において、前記第２の通信方式による通信が可能で、前記第１の通信方式による通信ができない第２の動作状態となるように前記設定情報を更新することを特徴とする。
【０００７】
この画像表示装置の制御方法によれば、画像表示装置は、制御装置から所定のコマンドを受信すると、このコマンドを送信した制御装置との間で、第１の通信方式と第２の通信方式のいずれの通信方式で通信しているのかを判別し、スタンバイ状態で有効な通信方式を、判別結果に基づく一方の通信方式に設定する。このため、双方の通信方式を有効にしておく場合に比べてスタンバイ状態における電力消費が低減されるとともに、スタンバイ状態において、制御装置と画像表示装置との間で通信ができなくなってしまうことを抑制できる。
【０００８】
［適用例２］上記適用例に係る画像表示装置の制御方法において、前記制御装置は、前記画像表示装置との接続が確立した場合に前記所定のコマンドを送信することが望ましい。
【０００９】
この画像表示装置の制御方法によれば、制御装置は、画像表示装置との接続が確立した場合に所定のコマンドを送信するため、接続された制御装置との通信をスタンバイ状態においても維持することが可能となる。
【００１０】
［適用例３］上記適用例に係る画像表示装置の制御方法において、前記制御装置は、前記画像表示装置の設定値を初期化する指示を行う場合に前記所定のコマンドを送信することが望ましい。
【００１１】
この画像表示装置の制御方法によれば、制御装置は、画像表示装置の設定値を初期化する指示を行う場合に所定のコマンドを送信するため、設定値の初期化により、スタンバイ状態で有効な通信方式が初期設定値に戻っても、制御装置と通信が可能な通信方式に設定情報を更新することが可能となる。
【００１２】
［適用例４］上記適用例に係る画像表示装置の制御方法において、前記制御装置は、前記画像表示装置を前記スタンバイ状態に移行させる指示を行う場合に前記所定のコマンドを送信することが望ましい。
【００１３】
この画像表示装置の制御方法によれば、制御装置は、画像表示装置をスタンバイ状態に移行させる指示を行う場合に所定のコマンドを送信するため、スタンバイ状態に移行させた後で、同じ制御装置によってスタンバイ状態から復帰する指示ができなくなってしまうことを防止できる。
【００１４】
［適用例５］上記適用例に係る画像表示装置の制御方法において、前記画像表示装置には、前記第１の通信方式で通信する場合に用いられる第１のＩＰアドレスと、前記第２の通信方式で通信する場合に用いられる第２のＩＰアドレスとが設定されており、前記画像表示装置は、前記制御装置が前記所定のコマンドの送信先として指定したＩＰアドレスを取得し、取得した前記ＩＰアドレスを、前記第１のＩＰアドレス及び前記第２のＩＰアドレスと比較して前記通信方式を判別することが望ましい。
【００１５】
この画像表示装置の制御方法によれば、制御装置が所定のコマンドの送信先として指定したＩＰアドレスに基づいて通信方式を判別するため、画像表示装置に設定されているＩＰアドレスとの比較により容易に通信方式を判別することが可能となる。
【００１６】
［適用例６］上記適用例に係る画像表示装置の制御方法において、前記画像表示装置には、前記第１の通信方式で通信する場合に用いられる第１のＩＰアドレスと、前記第２の通信方式で通信する場合に用いられる第２のＩＰアドレスとが設定されており、前記画像表示装置は、前記制御装置のＩＰアドレスを取得し、取得した前記ＩＰアドレスのサブネットを、前記第１のＩＰアドレス及び前記第２のＩＰアドレスのサブネットと比較して前記通信方式を判別するようにしてもよい。
【００１７】
この画像表示装置の制御方法によれば、所定のコマンドを送信した制御装置のＩＰアドレスのサブネットに基づいて通信方式を判別するため、画像表示装置に設定されているＩＰアドレスのサブネットとの比較により容易に通信方式を判別することが可能となる。
【００１８】
［適用例７］上記適用例に係る画像表示装置の制御方法において、前記第１の通信方式は、有線で通信を行う通信方式であり、前記第２の通信方式は、無線で通信を行う通信方式であってもよい。
【００１９】
［適用例８］上記適用例に係る画像表示装置の制御方法において、前記第１の通信方式及び前記第２の通信方式は、無線で通信を行う通信方式であってもよい。
【００２０】
［適用例９］本適用例に係る画像表示システムは、画像を表示する画像表示装置と、前記画像表示装置を制御する制御装置とを備えた画像表示システムであって、前記制御装置は、前記画像表示装置との間で、第１の通信方式又は第２の通信方式による接続を確立し、前記接続が確立した後に、前記画像表示装置に所定のコマンドを送信する第１の通信部を備え、前記画像表示装置は、前記第１の通信方式及び前記第２の通信方式によって前記制御装置と通信を行うことが可能な第２の通信部と、前記第２の通信部が前記制御装置から前記所定のコマンドを受信した場合に、前記第１の通信方式及び前記第２の通信方式のいずれの通信方式によって前記制御装置と通信しているのかを判別する判別部と、前記判別部の判別結果に基づいて、スタンバイ状態における前記第２の通信部の動作状態を設定するための設定情報を更新する制御部と、を備え、前記制御部は、前記第１の通信方式によって前記制御装置と通信していると前記判別部が判別した場合には、前記第２の通信部が、前記スタンバイ状態において、前記第１の通信方式による通信が可能で、前記第２の通信方式による通信ができない第１の動作状態となるように前記設定情報を更新し、前記第２の通信方式によって前記制御装置と通信していると前記判別部が判別した場合には、前記第２の通信部が、前記スタンバイ状態において、前記第２の通信方式による通信が可能で、前記第１の通信方式による通信ができない第２の動作状態となるように前記設定情報を更新することを特徴とする。
【００２１】
この画像表示システムによれば、画像表示装置は、制御装置から所定のコマンドを受信すると、このコマンドを送信した制御装置との間で、第１の通信方式と第２の通信方式のいずれの通信方式で通信しているのかを判別し、スタンバイ状態で有効な通信方式を、判別結果に基づく一方の通信方式に設定する。このため、双方の通信方式を有効にしておく場合に比べてスタンバイ状態における電力消費が低減されるとともに、スタンバイ状態において、制御装置と画像表示装置との間で通信ができなくなってしまうことを抑制できる。
【００２２】
［適用例１０］本適用例に係る画像表示装置は、画像を表示する画像表示装置であって、第１の通信方式及び第２の通信方式によって外部の制御装置と通信を行うことが可能な通信部と、前記通信部が前記制御装置から所定のコマンドを受信した場合に、前記第１の通信方式及び前記第２の通信方式のいずれの通信方式によって前記制御装置と通信しているのかを判別する判別部と、前記判別部の判別結果に基づいて、スタンバイ状態における前記通信部の動作状態を設定するための設定情報を更新する制御部と、を備え、前記制御部は、前記第１の通信方式によって前記制御装置と通信していると前記判別部が判別した場合には、前記通信部が、前記スタンバイ状態において、前記第１の通信方式による通信が可能で、前記第２の通信方式による通信ができない第１の動作状態となるように前記設定情報を更新し、前記第２の通信方式によって前記制御装置と通信していると前記判別部が判別した場合には、前記通信部が、前記スタンバイ状態において、前記第２の通信方式による通信が可能で、前記第１の通信方式による通信ができない第２の動作状態となるように前記設定情報を更新することを特徴とする。
【００２３】
この画像表示装置によれば、制御装置から所定のコマンドを受信すると、このコマンドを送信した制御装置との間で、第１の通信方式と第２の通信方式のいずれの通信方式で通信しているのかを判別し、スタンバイ状態で有効な通信方式を、判別結果に基づく一方の通信方式に設定する。このため、双方の通信方式を有効にしておく場合に比べてスタンバイ状態における電力消費が低減されるとともに、スタンバイ状態において、制御装置と画像表示装置との間で通信ができなくなってしまうことを抑制できる。
【図面の簡単な説明】
【００２４】
【図１】画像表示システムを示す説明図。
【図２】コンピューターの概略構成を示すブロック図。
【図３】プロジェクターの概略構成を示すブロック図。
【図４】プロジェクター制御ツールの表示画面を示す図。
【図５】スタンバイ状態で有効な通信デバイスを設定する際のプロジェクターの動作を示すフローチャート。
【発明を実施するための形態】
【００２５】
以下、本実施形態の画像表示システム１００について、図面を参照して説明する。
図１は、本実施形態の画像表示システム１００を示す説明図である。
図１に示すように、画像表示システム１００は、制御装置としての少なくとも１つのコンピューター１と、画像表示装置としての少なくとも１つのプロジェクター２とを備えている。コンピューター１は、例えば、ノート型のパーソナルコンピューターであり、画像を表示する表示部１２や、入力装置であるキーボード１４、及びポインティングデバイスであるタッチパッド１５等を一体的に備えて構成されている。プロジェクター２は、外部から入力される画像情報又は予め内部に記憶されている画像情報に基づく画像（以降、「入力画像」とも呼ぶ。）をスクリーンや壁面等の投写面Ｓｐに投写する。また、プロジェクター２は、コンピューター１との間で有線接続又は無線接続による通信が可能になっており、コンピューター１から制御コマンドを受信して、受信した制御コマンドに応じた動作を行うことができる。
【００２６】
図２は、コンピューター１の概略構成を示すブロック図である。
図２に示すように、コンピューター１は、制御部１０と、記憶部１１と、表示部１２と、通信部１３（第１の通信部）と、キーボード１４と、タッチパッド１５とを含んで構成されている。
【００２７】
制御部１０は、１つ又は複数のプロセッサー、ＲＡＭ（Random Access Memory）、及びＲＯＭ（Read Only Memory）等を含んで構成される。制御部１０は、ＲＯＭに記憶されたプログラム、又は記憶部１１からＲＡＭに読み出されたプログラムに従って動作することにより、コンピューター１の動作を統括制御する。
【００２８】
記憶部１１は、ハードディスクドライブ又はソリッドステートドライブ等の記憶装置を備えて構成される。記憶部１１は、インストールされたＯＳ（Operating System）、アプリケーションプログラム及び各種データ等を記憶する。本実施形態の記憶部１１には、プロジェクター２を制御するためのアプリケーションプログラム（プロジェクター制御ツール）がインストールされている。
【００２９】
表示部１２は、液晶ディスプレイや有機ＥＬ（Electro Luminescence）ディスプレイ等の表示装置を備えて構成され、制御部１０の制御に基づいて画像を表示する。
【００３０】
通信部１３は、制御部１０の制御に基づいて、ネットワークを介して接続された外部の装置（例えば、プロジェクター２）との間で通信を行う。本実施形態の通信部１３は、有線ＬＡＮ等の有線ネットワークを介して通信を行う有線通信部１３ａと、無線ＬＡＮ等の無線ネットワークを介して通信を行う無線通信部１３ｂの少なくとも一方を備えている。つまり、通信部１３は、有線通信（第１の通信方式）及び無線通信（第２の通信方式）のうち、少なくとも一方の通信方式によって外部の装置と通信を行うことができる。本実施形態において、コンピューター１は、通信部１３を介して、１つ又は複数のプロジェクター２に接続され、接続されたプロジェクター２を制御することができる。
【００３１】
有線通信部１３ａは、有線ＬＡＮ等の有線ネットワークを介して外部の装置と通信を行う有線インターフェイスである。有線通信部１３ａは、有線接続用のコネクターと、このコネクターに対応したインターフェイス回路（いずれも図示せず）とを備え、有線ネットワークを介してプロジェクター２に接続される。無線通信部１３ｂは、無線ＬＡＮ等の無線ネットワークを介して外部の装置と通信を行う無線インターフェイスである。無線通信部１３ｂは、図示しないアンテナやＲＦ（Radio Frequency）回路等を備え、制御部１０の制御に従って、プロジェクター２と無線通信を実行する。
【００３２】
キーボード１４は、キー操作によって文字や制御コード等の入力を受け付ける入力装置である。タッチパッド１５は、表示画像上の位置を指示するポインター（図示せず）の移動操作やクリック操作、ドラッグ操作等の入力操作を受け付けるポインティングデバイスである。キーボード１４及びタッチパッド１５は、ユーザーによってなされた操作に基づく操作信号を制御部１０に伝達する。なお、外付けのポインティングデバイスであるマウスがコンピューター１に接続されている場合には、タッチパッド１５の代わりにマウスが利用されてもよい。
【００３３】
次に、プロジェクター２の構成について説明する。
図３は、プロジェクター２の概略構成を示すブロック図である。
図３に示すように、プロジェクター２は、制御部２０と、記憶部２１と、入力操作部２２と、通信部２３（第２の通信部）と、画像情報入力部２４と、画像情報処理部２５と、画像投写部２６と、電源回路２７とを含んで構成されている。
【００３４】
制御部２０は、１つ又は複数のプロセッサーを備えて構成され、記憶部２１に記憶されている制御プログラムに従って動作することによりプロジェクター２の動作を統括制御する。また、制御部２０は、制御プログラムによって実現される機能ブロックとして、Ｗｅｂサーバー２０ａを有している。Ｗｅｂサーバー２０ａの動作については後述する。
【００３５】
記憶部２１は、揮発性のメモリーであるＲＡＭと、不揮発性のメモリーであるＲＯＭ等を備えて構成される。ＲＡＭは、各種データ等の一時記憶に用いられ、ＲＯＭは、プロジェクター２の動作を制御するための制御プログラムや制御データ等を記憶する。
【００３６】
入力操作部２２は、ユーザーがプロジェクター２に対して各種指示を行うための複数の操作キーを備えている。入力操作部２２が備える操作キーとしては、電源のオンとオフ（スタンバイ）とを切り替えるための「電源キー」、各種設定を行うための設定メニューを表示させる「メニューキー」、設定メニューの項目を選択するための「方向キー」等がある。ユーザーが入力操作部２２の各種操作キーを操作すると、入力操作部２２は、ユーザーの操作内容に応じた操作信号を制御部２０に出力する。なお、遠隔操作が可能なリモコン（図示せず）を、入力操作部２２として用いる構成としてもよい。この場合、リモコンは、ユーザーの操作内容に応じた赤外線の操作信号を発信し、図示しないリモコン信号受信部がこれを受信して制御部２０に伝達する。
【００３７】
通信部２３は、制御部２０の制御に基づいて、ネットワークを介して接続された外部の装置（例えば、コンピューター１）との間で通信を行う。通信部２３は、通信方式が異なる複数の通信デバイスを備えて構成されており、本実施形態では、有線ＬＡＮ等の有線ネットワークを介して通信を行う有線通信部２３ａと、無線ＬＡＮ等の無線ネットワークを介して通信を行う無線通信部２３ｂとを備えている。また、記憶部２１には、有線通信部２３ａ及び無線通信部２３ｂのそれぞれについて、ユーザー又はＤＨＣＰ（Dynamic Host Configuration Protocol）サーバーによって設定されたＩＰアドレス、サブネットマスク、ゲートウェイアドレス等の接続情報が記憶されており、これらの接続情報は、接続時や通信時に利用される。
【００３８】
有線通信部２３ａは、有線ＬＡＮ等の有線ネットワークを介して外部の装置と通信を行う有線インターフェイスである。有線通信部２３ａは、有線接続用のコネクターと、このコネクターに対応したインターフェイス回路（いずれも図示せず）とを備え、有線ネットワークを介してコンピューター１に接続される。無線通信部２３ｂは、無線ＬＡＮ等の無線ネットワークを介して外部の装置と通信を行う無線インターフェイスである。無線通信部２３ｂは、図示しないアンテナやＲＦ（Radio Frequency）回路等を備え、制御部２０の制御に従って、コンピューター１と無線通信を実行する。
【００３９】
画像情報入力部２４は、図示しない外部の画像供給装置に接続され、画像供給装置から画像情報の供給を受ける。なお、画像情報入力部２４は、コンピューター１から通信部２３を介して画像情報の供給を受けるようにしてもよい。コンピューター１から通信部２３を介して画像情報の供給を受ける場合は、通信部２３が画像情報入力部２４を兼ねてもよい。また、画像情報入力部２４は、制御部２０から、予め記憶部２１に記憶されている画像情報の供給を受けるようにしてもよい。画像情報入力部２４は、入力された画像情報、即ち入力画像を表す画像情報を画像情報処理部２５に出力する。
【００４０】
画像情報処理部２５は、制御部２０の制御に基づいて、画像情報入力部２４から入力される画像情報に対して様々な処理を施し、処理後の画像情報を画像投写部２６のライトバルブ駆動部３４に出力する。例えば、画像情報処理部２５は、明るさやコントラスト等の画質を調整する処理や、メニュー画像やメッセージ画像等のＯＳＤ（オンスクリーンディスプレイ）画像を入力画像に重畳する処理等を必要に応じて画像情報に施す。
【００４１】
なお、画像情報入力部２４及び画像情報処理部２５は、１つ又は複数のプロセッサー等によって構成されてもよいし、ＡＳＩＣ（Application Specific Integrated Circuit）やＦＰＧＡ（Field Programmable Gate Array）等の専用の処理装置によって構成されてもよい。
【００４２】
画像投写部２６は、光源３１、光変調装置としての３つの液晶ライトバルブ３２Ｒ，３２Ｇ，３２Ｂ、投写光学系３３、ライトバルブ駆動部３４等を備えて構成されている。画像投写部２６は、光源３１から射出された光を、液晶ライトバルブ３２Ｒ，３２Ｇ，３２Ｂで変調して画像光を形成し、投写レンズ等によって構成される投写光学系３３からこの画像光を投写して投写面Ｓｐに画像を表示する。
【００４３】
光源３１は、超高圧水銀ランプやメタルハライドランプ等の放電型の光源ランプ、又は発光ダイオードや半導体レーザー等の固体光源を含んで構成されている。光源３１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ３２Ｒ，３２Ｇ，３２Ｂに入射する。
【００４４】
液晶ライトバルブ３２Ｒ，３２Ｇ，３２Ｂは、それぞれ一対の透明基板間に液晶が封入された透過型の液晶パネル等によって構成される。各液晶パネルには、マトリクス状に配列された複数の画素からなる矩形の画像形成領域３２ｉが形成されており、液晶に対して画素毎に駆動電圧を印加可能になっている。
【００４５】
ライトバルブ駆動部３４は、液晶ライトバルブ３２Ｒ，３２Ｇ，３２Ｂの画像形成領域３２ｉに画像を形成する。具体的には、ライトバルブ駆動部３４は、画像情報処理部２５から入力される画像情報に応じた駆動電圧を、画像形成領域３２ｉの各画素に印加し、各画素を画像情報に応じた光透過率に設定する。光源３１から射出された光は、液晶ライトバルブ３２Ｒ，３２Ｇ，３２Ｂの画像形成領域３２ｉを透過することによって画素毎に変調され、画像情報に応じた画像光が色光毎に形成される。形成された各色の画像光は、図示しない色合成光学系によって画素毎に合成されてカラー画像を表す画像光となり、投写光学系３３によって投写面Ｓｐに拡大投写される。この結果、投写面Ｓｐ上には、画像情報入力部２４に入力された画像情報に基づく画像（入力画像）が表示される。
【００４６】
電源回路２７には、外部からＡＣ１００Ｖ等の商用電源（図示せず）が供給される。電源回路２７は、商用電源（交流電源）を所定の電圧の直流電源に変換して、プロジェクター２の各部に電力を供給する（各部への供給経路については、図示を省略する）。制御部２０は、電源回路２７を制御して、各部への電源供給を開始したり、停止したりすることができる。
【００４７】
ここで、プロジェクター２は、通常の動作に必要な電源が電源回路２７から各部に供給されるオン状態と、各部への電源供給が制限されてオン状態に比べて消費電力が極めて小さいスタンバイ状態とを切り替え可能になっている。ただし、スタンバイ状態においても、制御部２０が、通信部２３で受信された制御コマンドに応じた制御ができるように、制御部２０の一部の機能と通信部２３の一部の機能については、スタンバイ状態でも動作が可能になっている。
【００４８】
具体的には、スタンバイ状態では、通信部２３は、有線通信部２３ａと無線通信部２３ｂのいずれか一方のみに電源が供給されて、他方への電源供給は停止された状態になる。つまり、スタンバイ状態では、有線通信部２３ａと無線通信部２３ｂのうち、一方のみが有効な通信デバイスとして動作が可能な状態であり、他方は、無効になっている。また、スタンバイ状態において、制御部２０は、通信部２３を介してプロジェクター２を起動する指示を受けた場合には、電源回路２７を制御して、各部への電源供給を開始させ、プロジェクター２をオン状態に移行させる（スタンバイ状態から復帰させる）ことができる。このように、プロジェクター２は、スタンバイ状態において、有線又は無線のネットワークを経由した制御によってオン状態に移行可能であるとともに、有線通信部２３ａ及び無線通信部２３ｂの両方を有効にしておく場合に比べて、スタンバイ状態における電力消費を低減することが可能になっている。
【００４９】
なお、記憶部２１には、スタンバイ状態における通信部２３の動作状態を設定するための情報、即ち、スタンバイ状態において、有線通信部２３ａと無線通信部２３ｂのうち、いずれの通信デバイスを有効にするのかを示す情報（通信部設定情報）が記憶されており、制御部２０は、スタンバイ状態に移行する際に、通信部設定情報に従って一方の通信デバイスを有効にし、他方の通信デバイスを無効にする。
【００５０】
次に、画像表示システム１００の動作について説明する。
ユーザーがコンピューター１を操作して、プロジェクター制御ツールを起動すると、コンピューター１の制御部１０は、このプロジェクター制御ツールに従って動作を開始する。まず、制御部１０は、通信部１３で通信が可能なプロジェクター２を検索し、検索されたプロジェクター２との接続を確立する。そして、制御部１０は、接続が確立したプロジェクター２の一覧を含んだ表示画面５０（図４参照）を表示部１２に表示する。
【００５１】
図４は、プロジェクター制御ツールの表示画面５０を示す図である。
図４に示すように、表示画面５０内には、接続された各プロジェクター２に対応する矩形のラベル５１が配置されており、各ラベル５１には、プロジェクター２を識別するための識別子（番号）、設定されているプロジェクター２の名称、ＩＰアドレス、及びプロジェクター２の現在の電源状態（オン状態又はスタンバイ状態）が示されている。また、表示画面５０内には、プロジェクター２の電源状態を切り替えるための電源制御ボタン５２が配置されている。ユーザーは、所望のプロジェクター２（ラベル５１）を選択した後で、電源制御ボタン５２をクリック操作することによって、スタンバイ状態のプロジェクター２をオン状態に移行させる動作（オン動作）や、オン状態のプロジェクター２をスタンバイ状態に移行させる動作（オフ動作）をプロジェクター２に行わせることができる。
【００５２】
表示画面５０には、ラベル５１の配置を調整するためのレイアウトタブ５３と、プロジェクター２の設定や調整を行うための設定タブ５４とが含まれており、ユーザーは、これらのタブを選択することによって、表示内容を切り替えることができる。複数のプロジェクター２から投写される画像を並べて１つの大きな画像を表示する場合には、ユーザーは、レイアウトタブ５３を選択し、ドラッグ操作でラベル５１を移動して、ラベル５１の配置を実際の画像の配置に合わせることができる。これにより、制御対象のプロジェクター２を選択する際に、選択すべきプロジェクター２（ラベル５１）を直感的に指定することが可能となる。一方、設定タブ５４を選択すると、ユーザーは、新たに表示される設定画面（図示せず）に従って、プロジェクター２の各種設定値を変更したり、設定値を初期状態に戻す初期化を行ったりできるとともに、プロジェクター２が投写する画像の画質や形状を調整したり、投写光学系３３の状態（フォーカスやズーム等）を調整したりすることができる。
【００５３】
本実施形態では、上述のようにプロジェクター制御ツールによってプロジェクター２の設定値を変更したり、各種調整を行ったりすることは、コンピューター１の制御部１０が、ＨＴＴＰ（Hypertext Transfer Protocol）に則って、プロジェクター２のＷｅｂサーバー２０ａにアクセスすることによって実現される。プロジェクター２の制御部２０は、コンピューター１からＷｅｂサーバー２０ａに通知された情報（制御コマンド）に基づいて、設定された設定値を記憶部２１に記憶させたり、指示された調整をプロジェクター２の各部に行わせたりする。
【００５４】
ここで、本実施形態では、プロジェクター制御ツールにより、プロジェクター２との接続が確立したときと、オフ動作又は設定値の初期化を指示したときには、制御部１０は、対応する制御コマンドをプロジェクター２に送信するとともに、スタンバイ状態で有効とする通信デバイスを設定するための制御コマンド（以降、「通信部設定コマンド」と呼ぶ。）をプロジェクター２に送信する。
【００５５】
図５は、スタンバイ状態で有効な通信デバイスを設定する際のプロジェクター２の動作（制御方法）を示すフローチャートである。
図５に示すように、ステップＳ１０１では、プロジェクター２の制御部２０は、コンピューター１から送信された通信部設定コマンドを、通信部２３を介して受信する。
【００５６】
次いで、ステップＳ１０２では、制御部２０は、通信部設定コマンドが送信（受信）された経路が有線ネットワークであるか無線ネットワークであるかを判別する。つまり、制御部２０は、有線通信と無線通信のうち、いずれの通信方式によって通信部設定コマンドが送信されたのかを判別する。例えば、コンピューター１から送信される制御コマンドは、パケット単位でプロジェクター２に送信され、そのパケットに付加されているヘッダーには、制御コマンドの送信先のＩＰアドレスが含まれている。このため、制御部２０は、通信部設定コマンドを受信したＷｅｂサーバー２０ａから、通信部設定コマンドの送信先として指定されたＩＰアドレスを取得し、取得したＩＰアドレスと、記憶部２１に記憶されている各通信デバイスのＩＰアドレスとを比較することにより、送信経路が有線か無線かを判別することができる。つまり、制御部２０は、取得したＩＰアドレスと同じＩＰアドレスを有する通信デバイスによって通信部設定コマンドを受信したものと判断する。そして、制御部２０は、通信部設定コマンドの送信経路が有線ネットワークの場合には、ステップＳ１０３に処理を移し、無線ネットワークの場合には、ステップＳ１０４に処理を移す。
【００５７】
有線ネットワーク経由で通信部設定コマンドが送信されたと判別されてステップＳ１０３に処理が移行した場合には、制御部２０は、スタンバイ状態で有効な通信デバイスが有線通信部２３ａとなるように通信部設定情報を更新し、処理を終了する。つまり、制御部２０は、スタンバイ状態で有効な通信方式を有線通信に設定する。
【００５８】
一方、無線ネットワーク経由で通信部設定コマンドが送信されたと判別されてステップＳ１０４に処理が移行した場合には、制御部２０は、スタンバイ状態で有効な通信デバイスが無線通信部２３ｂとなるように通信部設定情報を更新し、処理を終了する。つまり、制御部２０は、スタンバイ状態で有効な通信方式を無線通信に設定する。
【００５９】
なお、プロジェクター２は、スタンバイ状態では、オン動作以外の指示を受け付けることができないようになっている。つまり、スタンバイ状態では、制御部２０は、通信部設定情報の更新を行うことができない。このため、オン状態のプロジェクター２に対して、コンピューター１からオフ動作の指示があった場合には、制御部２０は、プロジェクター２をスタンバイ状態に移行させる前に、通信部設定情報を更新する。また、プロジェクター２が、コンピューター１との接続時にスタンバイ状態であった場合には、通信部設定コマンドがコンピューター１から送信されるものの、通信部設定情報の更新はなされない。また、コンピューター１から設定値を初期化する指示があった場合には、制御部２０は、初期化を実行した後で通信部設定情報を更新する。
【００６０】
オン状態のプロジェクター２がスタンバイ状態に移行する際には、制御部２０は、電源回路２７に指示をして、有線通信部２３ａ及び無線通信部２３ｂのうち、通信部設定情報に基づく一方の通信デバイスへの電源供給を維持させ、他方の通信デバイスへの電源供給は制限（停止）させる。つまり、通信部設定情報において、スタンバイ状態で有線通信部２３ａが有効となるように設定されている場合には、制御部２０は、スタンバイ状態に移行する際に、通信部２３の動作状態を、有線通信部２３ａによる通信が可能で無線通信部２３ｂによる通信ができない状態（第１の動作状態）にする。一方、通信部設定情報において、スタンバイ状態で無線通信部２３ｂが有効となるように設定されている場合には、制御部２０は、スタンバイ状態に移行する際に、通信部２３の動作状態を、無線通信部２３ｂによる通信が可能で有線通信部２３ａによる通信ができない状態（第２の動作状態）にする。
【００６１】
なお、言うまでもなく、有線通信部２３ａが消費する電力は、有線通信部２３ａが有効になっている第１の動作状態のときよりも、有線通信部２３ａが無効になっている第２の動作状態のときのほうが小さくなる。同様に、無線通信部２３ｂが消費する電力は、無線通信部２３ｂが有効になっている第２の動作状態のときよりも、無線通信部２３ｂが無効になっている第１の動作状態のときのほうが小さくなる。
【００６２】
本実施形態の画像表示システム１００は、上記のように動作するため、コンピューター１からプロジェクター制御ツールを用いてプロジェクター２の制御を行い、これに伴って通信部設定コマンドが送信されると、プロジェクター２は、このコンピューター１と通信を行った通信デバイス、即ちこのコンピューター１との通信が可能な通信デバイスがスタンバイ状態において有効になるように通信部設定情報が更新される。このため、プロジェクター２がスタンバイ状態に移行した後に、同じコンピューター１からプロジェクター制御ツールを用いてプロジェクター２にオン動作を行わせることが可能となる。特に、本実施形態では、オフ動作の指示を行う際に通信部設定コマンドが送信されるため、プロジェクター制御ツールによってオフ動作を行わせた後で、同じコンピューター１からオン動作を行わせることができなくなることを防止できる。また、設定値の初期化を指示する際にも通信部設定コマンドが送信されるため、初期化によって通信部設定情報が初期設定値に戻っても、その後で通信部設定情報が適切な設定値（コンピューター１と通信が可能な通信デバイス）に更新され、同じコンピューター１からオン動作を行わせることができなくなることを防止できる。
【００６３】
以上説明したように、本実施形態のプロジェクター２、画像表示システム１００及びプロジェクター２の制御方法によれば、以下の効果を得ることができる。
【００６４】
（１）本実施形態によれば、プロジェクター２は、コンピューター１から通信部設定コマンドを受信すると、このコマンドを送信したコンピューター１との間で、有線通信と無線通信のいずれの通信方式で通信しているのかを判別し、スタンバイ状態で有効な通信方式を、判別結果に基づく一方の通信方式に設定する。このため、双方の通信方式を有効にしておく場合に比べてスタンバイ状態における電力消費が低減されるとともに、スタンバイ状態において、コンピューター１とプロジェクター２との間で通信ができなくなってしまうことを抑制できる。
【００６５】
（２）本実施形態によれば、コンピューター１は、プロジェクター２との接続が確立した場合に通信部設定コマンドを送信するため、接続されたコンピューター１との通信をスタンバイ状態においても維持することが可能となる。
【００６６】
（３）本実施形態によれば、コンピューター１は、プロジェクター２の設定値を初期化する指示を行う場合に通信部設定コマンドを送信するため、設定値の初期化により、スタンバイ状態で有効な通信方式が初期設定値に戻っても、コンピューター１と通信が可能な通信方式に通信部設定情報を更新することが可能となる。
【００６７】
（４）本実施形態によれば、コンピューター１は、プロジェクター２をスタンバイ状態に移行させる指示を行う場合に通信部設定コマンドを送信するため、スタンバイ状態に移行させた後で、同じコンピューター１によってスタンバイ状態から復帰する指示ができなくなってしまうことを防止できる。
【００６８】
（５）本実施形態によれば、プロジェクター２は、コンピューター１が通信部設定コマンドの送信先として指定したＩＰアドレスに基づいて通信方式を判別するため、プロジェクター２に記憶されているＩＰアドレスとの比較により容易に通信方式を判別することが可能となる。
【００６９】
なお、上記実施形態では、ステップＳ１０２（図５参照）において通信部設定コマンドが送信された経路が有線ネットワークであるか無線ネットワークであるかを判別する際の制御部２０が判別部に相当する。また、有線通信部２３ａに設定されたＩＰアドレスが第１のＩＰアドレスに相当し、無線通信部２３ｂに設定されたＩＰアドレスが第２のＩＰアドレスに相当する。
【００７０】
（変形例）
また、上記実施形態は、以下のように変更してもよい。
【００７１】
上記実施形態では、プロジェクター制御ツールは、プロジェクター２のＷｅｂサーバー２０ａに対して、ＨＴＴＰに則って制御コマンドを送信しているが、プロジェクター制御ツールの通信形態は、これに限定されず、他の通信形態を採用してもよい。
【００７２】
上記実施形態では、Ｗｅｂサーバー２０ａから取得した送信先のＩＰアドレスに基づいて、通信部設定コマンドが送信された経路を判別しているが、送信経路を判別する方法は、これに限定されない。例えば、制御部２０は、コマンドの送信元（コンピューター１）のＩＰアドレスを検出（取得）して、このＩＰアドレスのサブネット（ネットワークアドレス）と、記憶部２１に記憶されている各通信デバイスのＩＰアドレスのサブネットとを比較し、同じサブネットに属する通信デバイスによってコマンドを受信したものと判断することも可能である。また、制御部２０が、有線通信部２３ａ及び無線通信部２３ｂの通信状況を監視して、いずれの通信デバイスで通信部設定コマンドを受信したのかを判断するようにしてもよい。
【００７３】
上記実施形態では、コンピューター１は、プロジェクター２との接続時と、オフ動作又は初期化動作を指示する際に、通信部設定コマンドを送信するようにしているが、通信部設定コマンドを送信するタイミングは、上記に限定されず、例えば、オン動作を行う際に送信するようにしてもよい。
【００７４】
上記実施形態では、プロジェクター２の通信部２３が、有線で通信を行う有線通信部２３ａと、無線で通信を行う無線通信部２３ｂとを備えた構成について説明したが、通信部２３の通信方式は、上記の組合せに限定されない。例えば、通信部２３が、通信デバイスとして、無線ＬＡＮによる通信を行う第１の無線通信部と、Ｂｌｕｅｔｏｏｔｈ（登録商標）による通信を行う第２の無線通信部とを備え、スタンバイ状態において、いずれか一方の通信デバイスを有効にする態様であってもよい。また、通信方式が異なる３つ以上の通信デバイスを備えた構成とし、スタンバイ状態において、いずれか１つ又は複数の通信デバイスを有効にする態様であってもよい。
【００７５】
上記実施形態では、プロジェクター２は、スタンバイ状態において、オン動作の指示のみを受け付け可能な構成になっているが、オン動作以外の指示を受け付け可能な構成であってもよい。
【００７６】
上記実施形態では、光変調装置として、透過型の液晶ライトバルブ３２Ｒ，３２Ｇ，３２Ｂを用いているが、反射型の液晶ライトバルブ等、反射型の光変調装置を用いることも可能である。また、入射した光の射出方向を、画素としてのマイクロミラー毎に制御することにより、光源３１から射出された光を変調するデジタルミラーデバイス等を用いることもできる。また、色光別に複数の光変調装置を備える構成に限定されず、１つの光変調装置で複数の色光を時分割で変調する構成としてもよい。
【００７７】
上記実施形態では、画像表示装置としてプロジェクター２を採用しているが、画像表示装置はプロジェクター２に限定されず、液晶ディスプレイや有機ＥＬディスプレイ等、他の画像表示装置を採用してもよい。
【００７８】
上記実施形態では、制御装置としてノート型のコンピューター１を採用しているが、制御装置はノート型のコンピューター１に限定されず、デスクトップ型のコンピューターや、スマートフォン、タブレット端末等、他の制御装置を採用してもよい。
【符号の説明】
【００７９】
１…コンピューター、２…プロジェクター、１０…制御部、１１…記憶部、１２…表示部、１３…通信部、１３ａ…有線通信部、１３ｂ…無線通信部、１４…キーボード、１５…タッチパッド、２０…制御部、２０ａ…Ｗｅｂサーバー、２１…記憶部、２２…入力操作部、２３…通信部、２３ａ…有線通信部、２３ｂ…無線通信部、２４…画像情報入力部、２５…画像情報処理部、２６…画像投写部、２７…電源回路、３１…光源、３２Ｒ，３２Ｇ，３２Ｂ…液晶ライトバルブ、３２ｉ…画像形成領域、３３…投写光学系、３４…ライトバルブ駆動部、５０…表示画面、５１…ラベル、５２…電源制御ボタン、５３…レイアウトタブ、５４…設定タブ、１００…画像表示システム、Ｓｐ…投写面。
【図１】
2019117265.tif 000003
【図２】
2019117265.tif 000004
【図３】
2019117265.tif 000005
【図４】
2019117265.tif 000006
【図５】
2019117265.tif 000007